(57)【要約】【課題】着脱が便利で、臀部に対する保護効果に優れたズボンを提供する。【解決手段】ズボンのズボン本体１は、ウエストバンド１１と、臀部カバー１２１及び下腹部カバー及び２つの寛骨部カバーを有する股あてと、２本のズボン部１３と、に区分される。前記臀部カバー１２１に対応する位置に形成され、緩衝手段を収容可能な第１の収容空間を囲み、第１の開口２１０及び前記第１の開口２１０の反対側から前記第１の開口２１０に向かって突起する係止突起２１１を有する第１ポケット構造２１と、各前記寛骨部カバーに対応する位置に形成され、緩衝手段を収容可能な第２の収容空間を囲み、第２の開口２２０を有する２つの第２ポケット構造２２と、各前記ズボン部１３に対応する位置に形成され、緩衝手段を収容可能な第３の収容空間を囲み、第３の開口を有する２つの第３ポケット構造と、が形成される。【選択図】図２
0003221491.tif 000002
【実用新案登録請求の範囲】
【請求項１】
着用者の腰部を囲繞するウエストバンドと、
前記ウエストバンドと連結し、前記ウエストバンドより下方向へ延伸し、且つ、後側で着用者の臀部の位置に対応する臀部カバーと、前側で着用者の下腹部の位置に対応する下腹部カバーと、着用者の左右両側の寛骨の位置にそれぞれ対応すると共に、前記臀部カバーと前記下腹部カバーを連結する２つの寛骨部カバーを有する股あてと、
前記股あてから下方向へ延伸して着用者の両足をそれぞれ包むことができる２本のズボン部と、に区分されたズボン本体を有するズボンであって、
前記ズボン本体の前記臀部カバーに対応する位置に形成され、緩衝手段を収容可能な第１の収容空間を囲み、且つ、該第１の収容空間と連通する第１の開口と、該第１の収容空間の前記第１の開口の反対側から前記第１の開口に向かって突起する係止突起を有する第１ポケット構造と、
前記ズボン本体の各前記寛骨部カバーに対応する位置にそれぞれ形成され、緩衝手段を収容可能な第２の収容空間を囲み、且つ、該第２の収容空間と連通する第２の開口を有する一対の第２ポケット構造と、
前記ズボン本体の各前記ズボン部にそれぞれ１つ配置され、緩衝手段を収容可能な第３の収容空間を囲み、且つ、該第３の収容空間と連通する第３の開口を有する２つの第３ポケット構造と、
が形成されていることを特徴とする、ズボン。
【請求項２】
前記第１ポケット構造には、前記第１の開口に配置され、該第１の収容空間内に収容される緩衝手段が前記第１の開口を経由して外れることを阻止する第１のストッパーを更に具え、
また、前記第１の開口は上方に向かって開口し、前記係止突起は、着用者の臀裂に対応する位置に形成される
ことを特徴とする、請求項１に記載のズボン。
【請求項３】
各前記第２ポケット構造には、前記第２の開口に配置され、該第２の収容空間内に収容される緩衝手段が前記第２の開口を経由して外れることを阻止する第２のストッパーを更に具える
ことを特徴とする、請求項１又は２に記載のズボン。
【請求項４】
各前記第３ポケット構造には、前記第３の開口に配置され、該第３の収容空間内に収容される緩衝手段が前記第３の開口を経由して外れることを阻止する第３のストッパーを更に具える
ことを特徴とする、請求項１〜３のいずれかに記載のズボン。
【請求項５】
前記２本のズボン部は、いずれも前記股あてに連結され、着用者の上腿の位置に対応する上腿カバーと、前記上腿カバーの先端から延伸し、着用者の膝の位置に対応する膝カバーと、前記膝カバーの先端から更に延伸し、着用者の下腿の位置に対応する下腿カバーとを有し、前記第３ポケット構造は、前記膝カバーに形成されている
ことを特徴とする、請求項１に記載のズボン。
【考案の詳細な説明】
【技術分野】
【０００１】
本考案はズボンに関し、特に収容空間内における緩衝手段の位置を安定させ、着脱が容易で、臀部に対する保護効果に優れたズボンに関する。
【背景技術】
【０００２】
少子高齢化社会に移り変わる中、介護の負担を軽減するために高齢者自身による健康管理が従来よりも重要視されている。人は年齢を重ねるにつれて、筋力が落ちてしまうため、歩行が不安定になったり、転倒しやすくなったりするので、例えば特許文献１により、転倒の衝撃を吸収するための緩衝発泡体を衣類に取り入れた転倒時の衝撃緩和ズボンが開発されている。
【先行技術文献】
【特許文献】
【０００３】
【特許文献１】中国実用新案第２０４８１２１９７号明細書
【考案の概要】
【考案が解決しようとする課題】
【０００４】
しかしながら、特許文献１に記載された転倒時の衝撃緩和ズボンにおいて、緩衝発泡体は直接ズボンの内表面に縫い付けられているため、着脱時に緩衝発泡体に引っかかり易くなるので、スムーズに該ズボンを着脱するには体を捻ったり転倒時の衝撃緩和ズボンを力強く引っ張ったりする必要がある。また、該転倒時の衝撃緩和ズボンは、寛骨部しか保護することができず、膝部など他の部位には保護効果がない。更に、該転倒予防ズボンを洗浄するには、緩衝発泡体も一緒に洗濯する必要があるので、緩衝発泡体の緩衝効果が劣化する恐れがある。
【０００５】
そこで、本考案の目的は、着脱が便利で、臀部に対する保護効果に優れたズボンを提供することにある。
【課題を解決するための手段】
【０００６】
本考案のズボンは、着用者の腰部を囲繞するウエストバンドと、前記ウエストバンドと連結し、前記ウエストバンドより下方向へ延伸し、且つ、後部で着用者の臀部の位置に対応する臀部カバー及び前部で着用者の下腹部の位置に対応する下腹部カバー及び着用者の左右両側の寛骨部の位置にそれぞれ対応すると共に、前記臀部カバーと前記下腹部カバーを連結する２つの寛骨部カバーを有する股あてと、前記股あてから下方向へ延伸して着用者の両足をそれぞれ包むことができる２つのズボン部と、に区分されたズボン本体を有する。
【０００７】
前記ズボン本体には、前記ズボン本体の前記臀部カバーに対応する位置に形成され、パッド状の緩衝手段を収容可能な第１の収容空間を囲み、且つ、該第１の収容空間と連通する第１の開口、及び前記第１の開口の反対側から前記第１の開口に向かって突起する係止突起を有する第１ポケット構造と、前記ズボン本体の各前記寛骨部カバーに対応する位置にそれぞれ形成され、パッド状の緩衝手段を収容可能な第２の収容空間を囲み、且つ、該第２の収容空間と連通する第２の開口を有する２つの第２ポケット構造と、前記ズボン本体の各前記ズボン部に対応する位置にそれぞれ形成され、パッド状の緩衝手段を収容可能な第３の収容空間を囲み、且つ、該第３の収容空間と連通する第３の開口を有する２つの第３ポケット構造と、が形成されている。
【考案の効果】
【０００８】
本考案は、着用者の臀部、膝部、寛骨部に対応する箇所に緩衝手段を収容可能な第１、第２、第３ポケット構造が設置されているので、適切な状態でこれらのポケット構造に各種緩衝手段を装着すれば、着用者の臀部、膝部、寛骨部を保護することができると共に、緩衝手段をポケット構造から取り出してから着脱できるため着脱も簡単であり、そして、緩衝手段を取り出してからズボンのみを洗浄することができるため、緩衝手段が合成洗剤などに浸かったために緩衝効果が劣化してしまうことを防ぐことが可能である。
【０００９】
更に、本考案は第１ポケット構造に係止突起が形成されることにより、該係止突起を有する第１ポケット構造の形状に対応する緩衝手段を係止突起で係止し、該緩衝手段の第１ポケット構造の第１の収容空間内における位置を安定させる効果が得られるため、着用者が自由に行動できると共に、緩衝手段であるパッドが適切に装着された際に、臀部に対する保護効果を更に向上することができる。
【図面の簡単な説明】
【００１０】
【図１】本考案のズボンの第１の実施例が示される正面図である。
【図２】本考案のズボンの第１の実施例が示される背面図である。
【図３】本考案のズボンの第１の実施例が示される側面図である。
【図４】本考案のズボンの第２の実施例が示される正面図である。
【図５】本考案のズボンの第２の実施例が示される背面図である。
【図６】本考案のズボンの第２の実施例の内側が示される部分斜視図である。
【図７】本考案のズボンの第３の実施例が示される正面図である。
【図８】本考案のズボンの第３の実施例が示される背面図である。
【図９】本考案のズボンの第３の実施例の１つの第３ポケット構造の内側が示される部分斜視図である。
【考案を実施するための形態】
【００１１】
以下、各図面を参照して本考案に係るズボンの第１の実施例について説明する。
（第１の実施例）
【００１２】
まず、図１〜図３を参照して本考案の第１の実施例を説明する。ここで、図１は本考案のズボンの第１の実施例が示される正面図であり、図２は本考案のズボンの第１の実施例が示される背面図であり、図３は本考案のズボンの第１の実施例が示される側面図である。
【００１３】
図１〜図３に示すように、本考案のズボンは、着用者の腰部を囲繞するウエストバンド１１と、ウエストバンド１１と連結し、ウエストバンド１１より下方向へ延伸し、且つ、後部で着用者の臀部の位置に対応する臀部カバー１２１及び前部で着用者の下腹部の位置に対応する下腹部カバー１２２と、着用者の左右両側の寛骨部の位置にそれぞれ対応すると共に、臀部カバー１２１と下腹部カバー１２２を連結する２つの寛骨部カバー１２３を有する股あて１２と、股あて１２から下方向へ更に延伸して着用者の両足をそれぞれ包むことができる２本のズボン部１３と、に区分されたズボン本体１を有するものである。
【００１４】
そして、この第１の実施例において、本考案のズボンは更に、臀部カバー１２１に対応する位置に形成された第１ポケット構造２１と、ズボン本体１の各寛骨部カバー１２３にそれぞれ対応する位置に形成された２つの第２ポケット構造２２と、ズボン本体１の各ズボン部１３にそれぞれ対応する位置に形成された２つの第３ポケット構造２３と、を有している。本考案におけるズボン部１３に対応する位置としては、例えば膝頭や脛やくるぶし等の骨張っており、転んだりぶつかったりした際に怪我をし易い部位が含まれるものとする。
【００１５】
第１ポケット構造２１は、ズボン本体１の外表面と連結され、パッド状の緩衝手段を収容可能な第１の収容空間を囲み、且つ、該第１の収容空間と連通する第１の開口２１０と、第１の収容空間における第１の開口２１０の反対側から第１の開口２１０に向かって突起する係止突起２１１を有するように構成されている。
【００１６】
また、第１ポケット構造２１は、第１の開口２１０が上方に向かって開口し、係止突起２１１は、着用者の臀裂に対応する位置に形成される。第１ポケット構造２１に係止突起２１１が形成されることにより、第１ポケット構造２１の形状に対応する緩衝手段を係止突起２１１で係止し、緩衝手段の第１ポケット構造２１の第１の収容空間内の位置を安定させる効果を得ることができる。
【００１７】
すなわち、緩衝手段が係止突起２１１により固定され、緩衝手段のズボンの第１ポケット構造２１内の位置が変わりにくいため、本考案のズボンを着用した着用者はどのような姿勢（例えば、座る、立つ、歩く、走るなど）をしても、緩衝手段は臀部全体を十分にサポートできるため、臀部に対する保護効果が向上できる。ちなみに、該係止突起２１１の先端の形状に関しては、尖った形状に形成することも、円い形状に形成することも可能である。
【００１８】
２つの第２ポケット構造２２は、いずれもズボン本体１の外表面と連結され、パッド状の緩衝手段を収容可能な第２の収容空間を囲み、且つ、該第２の収容空間と連通する第２の開口２２０を有するように構成されている。
【００１９】
２つの第３ポケット構造２３は、いずれもズボン本体１の内表面と連結され、パッド状の緩衝手段を収容可能な第３の収容空間を囲み、且つ、該第３の収容空間と連通する第３の開口２３０を有するように構成されている。また、この実施形態において該第３ポケット構造２３が着用者の膝に対応する位置にそれぞれ配置されている。
【００２０】
すなわち、２本のズボン部１３は、着用者の体に対応する箇所に応じて、いずれも股あて１２に連結され、着用者の上腿の位置に対応する上腿カバー１３１と、上腿カバー１３１の先端から延伸し、着用者の膝の位置に対応する膝カバー１３３と、膝カバー１３３の先端から更に延伸し、着用者の下腿の位置に対応する下腿カバー１３２とに区分することができるが、本考案の２つの第３ポケット構造２３は、着用者の膝に対応する膝カバー１３３にそれぞれ配置されている。
【００２１】
一方、図３に示されるように、縫製作業箇所で本考案を区分する場合、２本のズボン部１３は、いずれもズボン本体１の前側のフロントズボン部１３４と、フロントズボン部１３４と縫い合わさせ、且つズボン本体１の後側に位置するリアズボン部１３５とに区分することができる。ここの縫製作業箇所でズボン本体１を区分する仕方は後述する第３の開口の説明で用いられる。
【００２２】
本実施例において、第１の開口２１０は外表面に形成され、第２の開口２２０は外表面に形成され、第３の開口２３０はフロントズボン部１３４とリアズボン部１３５の縫い目に形成される。但し、第１の開口２１０と、第２の開口２２０とは、それぞれズボン本体１の前記内表面または外表面に形成されても良いし、第３の開口２３０も、フロントズボン部１３４、または、フロントズボン部１３４とリアズボン部１３５の間に形成されても良い。このように、開口はズボンの表面における形成方法には制限がない。
【００２３】
なお、前記ポケット構造の前記収容空間内における収容可能な前記緩衝手段は、例えば転倒した際の衝撃を和らげる緩衝作用を発揮できるものであれば、例えば発泡スチロールや気泡緩衝材を本考案における緩衝手段として適用することができる。
【００２４】
第１ポケット構造２１、２つの第２ポケット構造２２、２つの第３ポケット構造２３のそれぞれの開口、すなわち第１の開口２１０、各第２の開口２２０、各第３の開口２３０には、それぞれ第１のストッパー３１、各第２のストッパー３２、各第３のストッパー３３が配置されている。第１のストッパー３１、各第２のストッパー３２、各第３のストッパー３３は、それぞれのポケット構造における収容可能な前記緩衝手段が前記ポケット構造の開口を経由して外れることを阻止する。
【００２５】
また、本第１の実施例において、第１のストッパー３１はジッパーで、各第２のストッパー３２はゴムひもで、各第３のストッパー３３はジッパーであるが、このように、各ストッパーの構成に関しては特に制限はなく、緩衝手段が前記ポケット構造の開口を経由して外れることを阻止することができれば、例えば面ファスナーや単純なボタン構造も本考案におけるストッパーとして適用することができる。
【００２６】
以下に本考案における第１の実施例のズボンの取扱い方法について説明する。本考案のズボンを着用する場合、まず通常のズボンとして着用してから、各ポケット構造にそれぞれ対応する形状を有するパッド状の緩衝手段を、第１ポケット構造２１、各第２ポケット構造２２、及び各第３ポケット構造２３にそれぞれ収容させて装着する。このように本考案のズボンを着用することにより、もし着用者が転倒した場合でも、着用者の臀部や寛骨部や膝部に与えられた衝撃力が、前記３つの部位に対応する箇所にそれぞれ設置された第１、第２、第３ポケット構造に収容された緩衝手段によって吸収されるため、着用者の転倒に起因する怪我を防ぐことができる。本考案のズボンを脱ぐ場合も、まずは複数のパッド状の緩衝手段を取り出しておくと、通常のズボンと同じように簡単に脱ぐことができる。また、本考案のズボンを洗浄する場合も、緩衝手段が簡単に取り外し可能になっているため、ズボンのみを洗濯機などに入れて洗浄することができる。
【００２７】
よって、緩衝手段が合成洗剤などに浸かったために緩衝効果が劣化してしまうことを防ぎ、緩衝手段の使用期間を長く保つことができる。上述した通り、本考案のズボンは緩衝手段を装着することにより着用者を保護できると共に、緩衝手段を取り外すと着脱や洗濯も便利である。
（第２の実施例）
【００２８】
以下、図４〜図６を参照して本考案に係るズボンの第２の実施例について説明する。ここで、図４は本実施例が示される正面図であり、図５は本実施例が示される背面図であり、図６は本実施例の内側が示される部分斜視図である。本実施例は第１の実施例に類似するが、主に以下の点で異なる：
（Ａ）第１ポケット構造２１の第１の開口２１０はズボン本体１の内表面に形成され、第１の開口２１０に配置される第１のストッパー３１は２つのボタンである。
（Ｂ）第２ポケット構造２２の第２の開口２２０はズボン本体１の内表面に形成され、各第２の開口２２０に配置される各第２のストッパー３２は１つのタックボタンである。
【００２９】
図示のように、この第２の実施例では各第２のストッパー３２はタックボタンであるが、第１の実施例と同様に、緩衝手段を阻止する効果を発揮する構成であれば、例えば面ファスナーなどであっても良いので、この実施例で説明したものには限られない。
（第３の実施例）
【００３０】
以下、図７〜図９を参照して本考案に係るズボンの第３の実施例について説明する。ここで、図７は、本実施例が示される正面図であり、図８は本実施例が示される背面図であり、図９は本実施例の１つの第３ポケット構造の内側が示される部分斜視図である。本実施例は前記第２の実施例と以下の点が異なる：
（Ａ）各第２ポケット構造２２はズボン本体１の外表面に形成され、且つ、図８に示されるように、各第２のストッパー３２は面ファスナーである。
（Ｂ）各第３ポケット構造２３は各ズボン部１３の膝カバー１３３に形成され、その特徴は以下の通りである：
各第３ポケット構造は下腿カバー１３２と連結するボトム部１３３１と、上腿カバー１３１と連結し、且つ、開閉可能にボトム部１３３１をカバーするトップ部１３３２とを有する。ボトム部１３３１は、図９に示されるように、トップ部１３３２と併せてパッド状の緩衝手段を収容可能な第３の収容空間を囲み、第３の収容空間と連通する第３の開口２３０を画成する。
【００３１】
前記緩衝手段を収容する場合、各第３ポケット構造のトップ部１３３２を開いて各第３ポケット構造２３の第３の開口２３０を露出させ、前記緩衝手段を第３の開口２３０と連通する該第３の収容空間に収容する。そして、各トップ部１３３２を前記トップ部１３３２に対応するボトム部１３３１にカバーする。これで第３の開口２３０が隠され、前記緩衝手段が第３の開口２３０を経由して外れることを阻止することができる。
【００３２】
本実施例における該当ポケット構造では、例えば面ファスナーやボタン構造という別個の部品を設けずとも、ポケット構造の設計にストッパーの機能を取り入れることができるので、別設部品の製造における資源の浪費や製造コストの上昇が避けられ、長時間使用に起因する部品の破損も免れる。
【００３３】
[実施例の優れた効果]
以下、本考案に係るズボン本体１の全ての実施例の利点をまとめると以下の通りである：
１．着用者が、打撲を受けやすい臀部、膝部と寛骨部にポケット構造が形成されるズボン本体１を着用して、且つポケット構造に緩衝手段を収容した際、上述した部位を保護することができる。
２．緩衝手段をズボン本体１のポケット構造から取り出してからズボン本体１の着脱ができるため、便利に着脱できる。
３．緩衝手段をズボン本体１のポケット構造から取り出してからズボン本体１のみの洗浄が可能であるため、緩衝手段が洗濯水に浸かることなく、緩衝効果を長く維持することができる。
４．ズボン本体１の第１ポケット構造に係止突起２１１が形成されることにより、第１ポケット構造２１の形状に対応する緩衝手段を係止突起２１１で係止し、該緩衝手段の第１ポケット構造２１の第１の収容空間の位置を安定させる効果が得られ、着用者の姿勢に関係なく臀部全体をサポートすることができるので、臀部に対する保護効果を向上できる。
【産業上の利用可能性】
【００３４】
着用することにより、打撲を受けやすい臀部、膝部と寛骨部が保護でき、着脱が便利で、ズボンのみの洗浄が可能であり緩衝手段の緩衝効果を長く維持でき、且つ、臀部カバーに対応する位置に形成される第１ポケット構造に係止突起が形成されることで、臀部に対する保護効果が高いズボンを提供することができる。
【符号の説明】
【００３５】
１        ズボン本体
１１      ウエストバンド
１２      股あて
１２１    臀部カバー
１２２    下腹部カバー
１２３    寛骨部カバー
１３      ズボン部
１３１    上腿カバー
１３２    下腿カバー
１３３    膝カバー
１３３１  ボトム部
１３３２  トップ部
１３４    フロントズボン部
１３５    リアズボン部
２１      第１ポケット構造
２１０    第１の開口
２１１    係止突起
２２      第２ポケット構造
２２０    第２の開口
２３      第３ポケット構造
２３０    第３の開口
３１      第１のストッパー
３２      第２のストッパー
３３      第３のストッパー
【図１】
0003221491.tif 000003
【図２】
0003221491.tif 000004
【図３】
0003221491.tif 000005
【図４】
0003221491.tif 000006
【図５】
0003221491.tif 000007
【図６】
0003221491.tif 000008
【図７】
0003221491.tif 000009
【図８】
0003221491.tif 000010
【図９】
0003221491.tif 000011